(57)【要約】【課題】パチンコ又はパチスロ店において、遊技者が吸うタバコの煙を吸引排出する機能を持たせたタバコの煙吸引機能付き台間機器を提供する。【解決手段】パチンコ機又はパチスロ機の台間に設置する玉貸機等の台間機器（２）にタバコの煙吸引機構（１）を設け、そこに備え付けられた取り外し可能灰皿（４）に置かれたタバコが発するタバコの煙を吸引口（３）より吸引し、後方より排出する機能を備えた、パチンコ又はパチスロ店において、低コストにて嫌煙家保護対策が出来るタバコの煙吸引機能付き台間機器である事を特徴とする。【選択図】　図１
2004121779.tif 000002
【特許請求の範囲】
【請求項１】
パチンコ機又はパチスロ機の台間に設置する玉貸機等にタバコの煙吸引機構（１）を設けたタバコの煙吸引機能付き台間機器。
【発明の詳細な説明】
【０００１】
【発明の属する技術分野】
この発明は、パチンコ又はパチスロ店（以後、遊技場）において、遊技者が吸うタバコの煙を吸引排出する機能を持たせたタバコの煙吸引機能付き台間機器に関するものである。
【０００２】
【従来の技術】
従来、遊技場において遊技者の吸うタバコの煙を排除するのには、大掛かりな上、空気清浄機能まで備えた必要以上の設備、さらにそれを設置するためには大掛かりな工事が必要なので、新規開店時かしばらくの休業後にしか設置する事が出来ず、その上相当な維持管理費が必要だった。だからと言って禁煙席を設けるのは効率性の面から難しく、いずれにしても多くの遊技場ではコストの面からタバコの煙に対してなんら施策を講じていないのが現状であった。
また玉貸機等の台間機器に関してはそのもの本来の機能しかなく、タバコの煙を排除する機能を付けるというような発想が全くなかった。
【０００３】
【発明が解決しようとする課題】
そのために次のような欠点があった。
（イ）遊技場でタバコの煙に対して何か施策を講じようとすると、大掛かりな設備かつそれに伴う相応の工事・工期等、大きなコストが掛かるため、ほとんどの遊技場では嫌煙家対策の有効な手段がなかった。
＊以後（イ）の理由によりタバコの煙に対して施策が講じられていないために（ロ）遊技者がタバコを吸った時に口から吐き出される煙に関してはある程度拡散する上、喫煙者も気を遣って隣の遊技者に煙が掛からないように吐き出す事が出来るが、吸っていない状態の置きタバコから発する煙は遊技場内の僅かな空気の流れにより、拡散する前の密度の濃い状態で隣の遊技者の顔面を直撃していた。
（ハ）昨今、嫌煙家のパチンコファンは喫煙者に劣らず多数いるが、タバコの煙の不快感を甘受せざるを得ず、そのためリラックスした状態で遊技が出来なかったり、頭痛を引き起こしたりで、長時間の遊技は苦痛を伴う事も少なくなかった。
（ニ）喫煙者にとっても隣の遊技者がタバコの煙に対して不快そうでも、置きタバコから発する煙が隣の遊技者に掛からないようにするための手立てがなく、気を遣ってタバコを控えたりしなければならず、中にはストレスを感じる喫煙者もいた。
（ホ）遊技場側にとっては、お客様本位のサービスという観点からも嫌煙家が不快な思いをしながら遊技をしているのは本意でないし、嫌煙家がタバコの煙から開放されたいために遊技を終わらせて引き揚げてしまうのは、少しでも遊技台の稼働率を上げたい遊技場にとっては収益にも関わる問題点であった。
【０００４】
【課題を解決するための手段】
パチンコ機又はパチスロ機（以後、遊技台）用の玉貸機等の台間機器（２）に吸引口（３）を設け、その内部にモーター（５）により駆動するファン（６）等を取り付け、それによってタバコの煙を吸引し後方に排出する機能を持たせる。実際には、より効果を得るため、吸引口（３）下部に灰皿取り付け部（７）を設け、そこに取り外し可能な灰皿（４）を備え付け、置きタバコから最も近いところでタバコの煙を吸引し後方の排出口（８）より排出する。
本発明は、以上の構成からなるタバコの煙吸引機能付き台間機器である。
【０００５】
【発明の実施の形態】
以下、本発明の実施の形態について説明する。
（イ）遊技台の前面には開閉部があるため、遊技台の開閉時に邪魔にならないような形状で台間機器（２）に灰皿取り付け部（７）を設け、そこに取り外し可能な灰皿（４）を備え付ける。
（ロ）灰皿取り付け部（７）の上部にタバコの煙吸引口（３）を設ける。
（ハ）吸引口（３）内にモーター（５）により駆動するファン（６）等を設ける。
（ニ）タバコの煙吸引口（３）下部の取り外し可能な灰皿（７）に置かれたタバコから出た煙は、タバコの煙吸引口（３）から吸引された後、後部排出口（８）より排出され、遊技台後方のパチンコ島内に流される。
（ホ）パチンコ島内にそのままタバコの煙を流すのに問題がある場合は、排出口に簡易フィルターを取り付けるか又は、排出口に取り外し可能な簡易排気管を取り付け、上方まで排出する煙を導く等の措置をとる。
（ヘ）時間帯や曜日等による遊技台の稼働率に差があり、閑散時に節電効果を求めたい場合はオン・オフスイッチ又は煙センサー等を設ける。
（ト）効果を上げるため、必要に応じて台間機器（２）にタバコの煙の吸引機能付きである事を明示又はタバコは灰皿に置きながら吸ってもらう旨のステッカーを貼る。（例）「隣の方のためタバコは灰皿に置きながらお吸い下さい（煙吸引機能付）」
（チ）さらに効果を上げるため、遊技場内のアナウンスにて、タバコを灰皿に置けば煙が吸引される事を喫煙者に知らせる。
【０００６】
【発明の効果】
パチンコ遊技時の嫌煙家にとっての最大の苦痛は、隣の遊技者の喫煙により発せられるタバコ（特に置きタバコ）の煙が遊技場内の僅かな空気の流れにより、拡散する前の密度の濃い状態で顔面付近に流れてきてこれを吸引し、大変不快な思いをする事であった。
しかしこれまでになかったこの発想により、置きタバコの煙は台間機器前面の吸引口より吸引され、後部の排出口より遊技台後方のパチンコ島内に排出される。この比較的簡単ながら十分な効果を生む装置により、嫌煙家のパチンコファンは快適に長時間の遊技が愉しめるのである。
また嫌煙家のお客様に快適な環境を提供出来るという事は、サービスの向上を目指す遊技場にとっての本位であり、さらにこれまでタバコの煙が嫌で遊技場に来られなかった人も遊技場に足を運んでくれる可能性も出てくる上、これまでパチンコ自体は好きだったがタバコの煙があるためリラックスして遊技が出来ず早めに遊技を終えていた嫌煙家が、この装置により少しでも長い時間遊技をしてくれるようになれば、遊技台の稼働率が上がり遊技場の利益の向上に貢献する事になる。
しかも、これまではタバコの煙に対して遊技場で何か施策を講じようとすると大掛かりな設備が必要な上、相応な工期が必要になり、大変なコストがかかったが、この発明により玉貸機等の台間機器を交換するだけで、非常に簡単に短時間で設置できる上、比較的安価なコストで十分な効果を得る事ができるのである。また、遊技台本体に同様の装置を取り付ける事も考えられるが、遊技台は様々なメーカーが納入しているので統一しづらい上、遊技台後部には様々な装置があり構造上吸引装置を取り付けづらい。その点台間機器であれば、ほとんどの遊技場が全体で１つのメーカーのシステムを採用しているので統一し易い上、構造上比較的簡単に吸引装置を取り付けられるのである。
【図面の簡単な説明】
【図１】本発明の実施例図
【図２】本発明の要部断面図
【符号の説明】
（１）タバコの煙吸引機構
（２）台間機器
（３）吸引口
（４）取り外し可能灰皿
（５）モーター
（６）ファン
（７）灰皿取り付け部
（８）排出口
【図１】
2004121779.tif 000003
【図２】
2004121779.tif 000004